(57)【要約】【課題】導光板の発光領域間に遠近差が生じるように観察者に視認させる。【解決手段】本発明に係る導光板２０は、複数の反射パターン２１が線状に配置された複数の線状配置パターン群ａ〜ｃを備える。線状配置パターン群ａ〜ｃで反射されて観察者に到達する光の光量と、当該線状配置パターン群ａ〜ｃに隣接する領域から観察者に到達する光の光量との差である光量差が、線状配置パターン群ａ〜ｃ間において異なっている。【選択図】図３
2015118128.tif 000002
【特許請求の範囲】
【請求項１】
光源から入射する光を導光して、光出射面から出射させる導光体であって、
上記光源からの光を上記光出射面に向けて反射する複数の反射パターンが線状に配置された線状配置パターン群を複数備え、
上記線状配置パターン群で反射されて上記光出射面を観察する観察者に到達する光の光量と、当該線状配置パターン群に隣接する領域から上記観察者に到達する光の光量との差を光量差とするとき、複数の上記線状配置パターン群の少なくとも一つは、上記光量差が、他の線状配置パターン群と異なっているか、または、
複数の上記線状配置パターン群の少なくとも一つは、当該線状配置パターン群で反射されて上記光出射面を観察する観察者に到達する光と当該線状配置パターン群に隣接する領域から上記観察者に到達する光との色差が、他の線状配置パターン群と異なっていることを特徴とする導光体。
【請求項２】
複数の上記線状配置パターン群の少なくとも一つは、上記光出射面に垂直な方向から見たときの当該光出射面の面内方向における各反射パターンの反射面の幅が、他の線状配置パターン群と異なることを特徴とする請求項１に記載の導光体。
【請求項３】
複数の上記線状配置パターン群の少なくとも一つは、上記反射パターンの配置密度が、他の線状配置パターン群と異なることを特徴とする請求項１に記載の導光体。
【請求項４】
複数の上記線状配置パターン群の少なくとも一つは、上記光出射面に垂直な方向から見たときの各反射パターンの反射面の向きが、他の線状配置パターン群と異なることを特徴とする請求項１に記載の導光体。
【請求項５】
複数の上記線状配置パターン群の少なくとも一つは、各反射パターンの反射面の傾斜角度が、他の線状配置パターン群と異なることを特徴とする請求項１に記載の導光体。
【請求項６】
複数の上記線状配置パターン群の少なくとも一つは、各反射パターンの反射面の傾斜方向における当該反射面の長さが、他の線状配置パターン群と異なることを特徴とする請求項１に記載の導光体。
【請求項７】
上記線状配置パターン群の少なくとも一つは、他の線状配置パターン群と異なる光源からの光を反射させることを特徴とする請求項１から６までのいずれか一項に記載の導光体。
【請求項８】
上記線状配置パターン群で囲まれた領域に、さらに複数の反射パターンが配置されていることを特徴とする請求項１から７までのいずれか一項に記載の導光体。
【請求項９】
上記線状配置パターン群で反射されて上記観察者に到達する光の光量と、当該線状配置パターン群で囲まれた領域に配置された複数の上記反射パターンで反射されて上記観察者に到達する光の光量とが異なっていることを特徴とする請求項８に記載の導光体。
【請求項１０】
上記線状配置パターン群で反射されて上記観察者に到達する光と、当該線状配置パターン群で囲まれた領域に配置された複数の上記反射パターンで反射されて上記観察者に到達する光とに、色差が生じていることを特徴とする請求項８に記載の導光体。
【請求項１１】
光源と、
上記光源から入射する光を導光して光出射面から出射させる請求項１から１０までのいずれか一項に記載の導光体とを備えることを特徴とする発光装置。
【請求項１２】
請求項１１に記載の発光装置を備えることを特徴とする遊技機。
【発明の詳細な説明】
【技術分野】
【０００１】
本発明は、光源から入射する光を導光して光出射面から出射させる導光体、当該導光板を備えた発光装置および遊技機に関するものである。
【背景技術】
【０００２】
従来、光源から出射された光を導光板の側面から導光板内に入射させ、導光板の裏面側に設けられた反射パターンで反射させて導光板の表面から出射させる技術が知られている。
【０００３】
例えば、特許文献１には、導光板の裏面における所定の文字に対応する形状の領域に反射パターンを配置しておくことにより、導光板の表面側における上記文字に対応する領域を発光させる技術が開示されている。
【先行技術文献】
【特許文献】
【０００４】
【特許文献１】特開平１１−８５０７５号公報（１９９９年３月３０日公開）
【発明の概要】
【発明が解決しようとする課題】
【０００５】
しかしながら、上記特許文献１の技術では、反射パターンの配置形状に応じた文字を表示させることはできるものの、この文字内の発光状態は略均一になるので、平面的な表示を行うことしかできない。
【０００６】
本発明は、上記の問題点に鑑みてなされたものであり、その目的は、光源から入射する光を導光し、光出射面に設定された発光領域から出射させる導光体において、当該発光領域を観察者に立体的に視認させることにある。
【課題を解決するための手段】
【０００７】
上記課題を解決するために、本発明の一態様に係る導光体は、光源から入射する光を導光して、光出射面から出射させる導光体であって、上記光源からの光を上記光出射面に向けて反射する複数の反射パターンが線状に配置された線状配置パターン群を複数備え、上記線状配置パターン群で反射されて上記光出射面を観察する観察者に到達する光の光量と、当該線状配置パターン群に隣接する領域から上記観察者に到達する光の光量との差を光量差とするとき、複数の上記線状配置パターン群の少なくとも一つは、上記光量差が、他の線状配置パターン群と異なっているか、または、複数の上記線状配置パターン群の少なくとも一つは、当該線状配置パターン群で反射されて上記光出射面を観察する観察者に到達する光と当該線状配置パターン群に隣接する領域から上記観察者に到達する光との色差が、他の線状配置パターン群と異なっていることを特徴としている。
【０００８】
上記の構成では、上記光量差または色差を異ならせることによって、線状配置パターン群に対応する光出射面における線状の発光領域（線画）間に遠近差が生じるように、当該光出射面を観察する観察者に知覚させることが可能となる。色差とは、色の違いを明度（上記光量差）、色相、彩度の３つの要素に基づいて数値化ものである。
【０００９】
例えば、上記光量差または色差が相対的に大きい線状配置パターン群に対応する発光領域ほど背景とのコントラストが大きくなり明瞭に視認されるため、相対的に近位にあるように観察者は知覚する。一方、上記光量差または色差が相対的に小さい線状配置パターン群に対応する発光領域ほど背景とのコントラストが小さくなりぼやけて視認されるため、相対的に遠位にあるように観察者は知覚する。
【００１０】
このように、上記光量差または色差を異ならせることによって、各線状配置パターン群に対応する発光領域間に遠近差が生じるように観察者に知覚させることができる。
【００１１】
したがって、上記の構成によれば、発光領域間に遠近差を生じさせて、観察者に立体的に視認させることができる導光体を実現することができる。
【００１２】
また、本発明の一態様に係る導光体では、複数の上記線状配置パターン群の少なくとも一つは、上記光出射面に垂直な方向から見たときの当該光出射面の面内方向における各反射パターンの反射面の幅が、他の線状配置パターン群と異なっていてもよい。
【００１３】
上記の構成では、各反射パターンの反射面の幅（光出射面と平行な方向の反射面の長さ）を線状配置パターン群間において異ならせることによって、当該線状配置パターン群間において光の反射量を異ならせることができる。
【００１４】
例えば、線状配置パターン群における各反射パターンの反射面の幅を大きくすることにより、当該線状配置パターン群における光の反射量が多くなる。そのため、当該線状配置パターン群で反射されて観察者に到達する光の光量を増加させることができる。一方、線状配置パターン群における各反射パターンの反射面の幅を小さくすることにより、当該線状配置パターン群における光の反射量が少なくなる。そのため、当該線状配置パターン群で反射されて観察者に到達する光の光量を減少させることができる。
【００１５】
したがって、上記の構成によれば、線状配置パターン群間において上記光量差または色差を異ならせることができる。
【００１６】
また、本発明の一態様に係る導光体では、複数の上記線状配置パターン群の少なくとも一つは、上記反射パターンの配置密度が、他の線状配置パターン群と異なっていてもよい。
【００１７】
上記の構成では、反射パターンの配置密度を線状配置パターン群間において異ならせることによって、当該線状配置パターン群間における光の反射量を変化させることができる。
【００１８】
例えば、線状配置パターン群における反射パターンの配置密度を大きくすることにより、当該線状配置パターン群における光の反射量が多くなる。そのため、当該線状配置パターン群で反射されて観察者に到達する光の光量を増加させることができる。一方、線状配置パターン群における反射パターンの配置密度を小さくすることにより、当該線状配置パターン群における光の反射量が少なくなる。そのため、当該線状配置パターン群で反射されて観察者に到達する光の光量を減少させることができる。
【００１９】
したがって、上記の構成によれば、線状配置パターン群間において上記光量差または色差を異ならせることができる。
【００２０】
また、本発明の一態様に係る導光体では、複数の上記線状配置パターン群の少なくとも一つは、上記光出射面に垂直な方向から見たときの各反射パターンの反射面の向きが、他の線状配置パターン群と異なっていてもよい。
【００２１】
上記の構成では、反射パターンの反射面の向きを線状配置パターン群間において異ならせることによって、それぞれの線状配置パターン群で反射する光の方向を互いに異ならせることができる。そのため、観察者の観察位置に応じて、当該観察者に到達する光の光量を異ならせることができる。
【００２２】
したがって、上記の構成によれば、線状配置パターン群間において上記光量差または色差を異ならせることができる。
【００２３】
また、本発明の一態様に係る導光体では、複数の上記線状配置パターン群の少なくとも一つは、各反射パターンの反射面の傾斜角度が、他の線状配置パターン群と異なっていてもよい。
【００２４】
上記の構成では、反射パターンの反射面の傾斜角度を線状配置パターン群間において異ならせることによって、それぞれの線状配置パターン群で反射する光の方向を互いに異ならせることができる。そのため、観察者の観察位置に応じて、観察者に到達する光の光量を異ならせることができる。
【００２５】
したがって、上記の構成によれば、線状配置パターン群間において上記光量差または色差を異ならせることができる。
【００２６】
また、本発明の一態様に係る導光体では、複数の上記線状配置パターン群の少なくとも一つは、各反射パターンの反射面の傾斜方向における当該反射面の長さが、他の線状配置パターン群と異なっていてもよい。
【００２７】
上記の構成では、傾斜方向における反射面の長さを線状配置パターン群間において異ならせることによって、当該線状配置パターン群間において光の反射量を異ならせることができる。
【００２８】
例えば、線状配置パターン群の各反射パターンにおいて、傾斜方向における反射面の長さを大きくすることにより、当該線状配置パターン群における光の反射量が多くなる。そのため、当該線状配置パターン群で反射されて観察者に到達する光の光量を増加させることができる。一方、線状配置パターン群の各反射パターンにおいて、傾斜方向における反射面の長さを小さくすることにより、当該線状配置パターン群における光の反射量が少なくなる。そのため、当該線状配置パターン群で反射されて観察者に到達する光の光量を減少させることができる。
【００２９】
したがって、上記の構成によれば、線状配置パターン群間において上記光量差または色差を異ならせることができる。
【００３０】
また、本発明の一態様に係る導光体では、線状配置パターン群の少なくとも一つは、他のパターン群と異なる光源からの光を反射させてもよい。
【００３１】
上記線状配置パターン群の少なくとも一つは、他のパターン群と異なる光源からの光を反射させてもよい。
【００３２】
上記の構成によれば、例えば、異なる発光色の光源を用いることにより、線状配置パターン群の少なくとも一つに対応する光出射面における線状の発光領域と、他の線状配置パターン群に対応する光出射面における線状の発光領域とを異なる色で発光させるなどの発光制御が可能となる。
【００３３】
また、本発明の一態様に係る導光体では、上記線状配置パターン群で囲まれた領域に、さらに複数の反射パターンが配置されていてもよい。
【００３４】
上記の構成によれば、線状配置パターン群に対応する光出射面における線状の発光領域（線画部分）と共に、当該線状の発光領域に囲まれた光出射面の領域（線画部分の内側）をさらに発光させることができるので、多様な表示が可能となり、立体視における視覚的効果を向上させることができる。
【００３５】
また、本発明の一態様に係る導光体では、上記線状配置パターン群で反射されて上記観察者に到達する光の光量と、当該線状配置パターン群で囲まれた領域に配置された複数の上記反射パターンで反射されて上記観察者に到達する光の光量とが異なっていてもよい。
【００３６】
上記の構成によれば、例えば、線状配置パターン群で反射されて観察者に到達する光の光量を、当該線状配置パターン群で囲まれた領域に配置された複数の反射パターンで反射されて観察者に到達する光の光量よりも大きくすることで、線状配置パターン群に対応する光出射面における線状の発光領域（線画部分）を相対的に明るく発光させて強調し、当該線状の発光領域に囲まれた光出射面の領域（線画部分の内側）を相対的に暗く発光させるなどの発光制御が可能となる。
【００３７】
また、本発明の一態様に係る導光体では、上記線状配置パターン群で反射されて上記観察者に到達する光と、当該線状配置パターン群で囲まれた領域に配置された複数の上記反射パターンで反射されて上記観察者に到達する光とに、色差が生じていてもよい。
【００３８】
上記の構成によれば、線状配置パターン群で反射されて観察者に到達する光と、当該線状配置パターン群で囲まれた領域に配置された複数の反射パターンで反射されて観察者に到達する光とに色差を生じさることにより、線状配置パターン群に対応する光出射面における線状の発光領域（線画部分）を相対的に明るく鮮やかな濃色に発光させて強調し、当該線状の発光領域に囲まれた光出射面の領域（線画部分の内側）を相対的に暗くくすんだ淡色に発光させるなどの発光制御が可能となる。
【００３９】
本発明の一態様に係る発光装置は、光源と、上記光源から入射する光を導光して光出射面から出射させる上記導光体とを備えることを特徴としている。
【００４０】
上記の構成によれば、発光領域間に遠近差を生じさせて、観察者に立体的に視認させることができる発光装置を実現することができる。
【００４１】
本発明の一態様に係る遊技機は、上記発光装置を備えることを特徴としている。
【００４２】
上記の構成によれば、発光領域間に遠近差を生じさせて、観察者に立体的に視認させることができる遊技機を実現することができる。
【発明の効果】
【００４３】
以上のように、本発明によれば、発光領域間に遠近差を生じさせて、観察者に立体的に視認させることができる導光体、発光装置および遊技機を提供することができるという効果を奏する。
【図面の簡単な説明】
【００４４】
【図１】図１は、実施形態に係る導光板を備えた発光装置の概略構成を示す説明図であり、図１の（ａ）は上面図、図１の（ｂ）は斜視図である。
【図２】図２は、図１に示される導光板に形成された反射パターンを示す断面図である。
【図３】図３の（ａ）〜図３の（ｃ）は、図１に示される各発光領域を示す上面図である。
【図４】図４の（ａ）〜図４の（ｃ）は、図３に示される各線状配置パターン群おける反射パターンの配置例を示す上面図である。
【図５】図５の（ａ）〜図５の（ｃ）は、図３に示される各線状配置パターン群における反射パターンの他の配置例を示す上面図である。
【図６】図６の（ａ）〜図６の（ｃ）は、図３に示される各線状配置パターン群における反射パターンのさらに他の配置例を示す上面図である。
【図７】実施形態に係る導光板の発光状態の一例を示す説明図である。
【図８】図８の（ａ）〜図８の（ｅ）は、発光領域の変形例を示す上面図である。
【図９】図９の（ａ）〜図９の（ｄ）は、反射パターンの変形例を示す断面図である。
【発明を実施するための形態】
【００４５】
本発明の一実施形態について、図１〜図９に基づいて説明すれば以下の通りである。本実施形態では、本発明に係る導光体を備えた発光装置の一例について説明する。
【００４６】
＜発光装置１の構成＞
図１は、本実施形態に係る導光板２０を備えた発光装置１の概略構成を示す説明図であり、図１の（ａ）は発光装置１の上面図、図１の（ｂ）は発光装置１の斜視図である。発光装置１は、導光板（導光体）２０の表面（光出射面）２０ｂに、図形、文字、絵柄などの線画オブジェクトを複数表示し、これら複数の線画オブジェクトについて観察者に与える遠近感を異ならせることで、立体的に視認させる。
【００４７】
図１の（ａ）および図１の（ｂ）に示すように、発光装置１は、光源１０、および導光板２０を備えている。
【００４８】
（光源１０）
光源１０は、導光板２０の側面２０ａへ向けて光を出射する発光素子である。光源１０は導光板２０の側面２０ａに対向して配置されており、光源１０から出射された光は側面２０ａから導光板２０内に入射する。
【００４９】
本実施形態では、光源１０として、３つの光源１０ａ，１０ｂ，１０ｃが配置されている。光源１０ａ，１０ｂ，１０ｃは、同一の光強度の光を出射する。各光源１０ａ，１０ｂ，１０ｃは、導光板２０の側面２０ａに対する光の入射角度が同一になるように、側面２０ａに沿って配置されている。
【００５０】
光源１０ａ，１０ｂ，１０ｃの種類は特に限定されるものではなく、例えばＬＥＤ（Light Emitting Diode）などの指向性を有するものを好適に用いることができる。なお、各光源１０ａ，１０ｂ，１０ｃが出射する光の色は、特に限定されない。例えば、互いに異なる色（例えば、赤，青，緑など）の光を各光源１０ａ，１０ｂ，１０ｃから出射してもよく、或いは、同じ色の光を各光源１０ａ，１０ｂ，１０ｃから出射してもよい。
【００５１】
また、配置される光源１０の数や位置についても特に限定されない。例えば、導光板２０の側面２０ａに対して１つの光源１０が配置されていてもよい。また、導光板２０の複数の側面に対して１つまたは２つ以上の光源１０が配置されていてもよい。さらに、複数の光源１０は、導光板２０の側面２０ａに沿って、例えば５ｍｍ以上のピッチで配置されていてもよい。
【００５２】
（導光板２０）
導光板２０は、光源１０から入射する光を導光して、表面２０ｂに設定された発光領域Ａ，Ｂ，Ｃから出射させる導光部材である。導光板２０は、光を全反射する材料（例えば、アクリル樹脂など）からなる透明性を有する板状の部材である。
【００５３】
導光板２０の側面２０ａから入射した光源１０ａ，１０ｂ，１０ｃからの光は、それぞれ導光板２０の表面２０ｂおよび裏面（対向面）２０ｃで全反射しながら導光板２０内を伝播して、導光板２０の表面２０ｂに設定された発光領域Ａ，Ｂ，Ｃから出射される。
【００５４】
図２は、導光板２０に形成された反射パターン２１を示す断面図である。図２に示すように、導光板２０の裏面２０ｃには、発光領域Ａに対応する領域に、光源１０ａから入射して導光板２０内を伝播した光を発光領域Ａへ向けて正反射させるための反射パターン２１が線状に配置された線状配置パターン群ａが形成されている（図２では線状配置パターン群ａにおける１つの反射パターン２１のみを図示している。）。各反射パターン２１は、導光板２０の側面２０ａから入射した光源１０からの光を発光領域Ａへ向けて反射する傾斜面（反射面）を有している。
【００５５】
同様に、発光領域Ｂ，Ｃに対応する裏面２０ｃの領域にも、光源１０からの光を発光領域Ｂ，Ｃへ向けて反射する傾斜面（反射面）を有する反射パターン２１が線状に配置された線状配置パターン群ｂ，ｃが形成されている。
【００５６】
本実施形態では、反射パターン２１として、導光板２０の裏面２０ｃに垂直であり、且つ、光の導光方向に平行な断面の断面形状が略二等辺三角形状（Ｖ字状）をなし、当該断面に垂直な方向に沿って直線的に延伸するように導光板２０の裏面２０ｃを切り欠いた溝を形成している。
【００５７】
この導光板２０は透明な材料からなるいわゆるシースルー型の導光パネルである。そのため、光源１０ａ，１０ｂ，１０ｃが非点灯状態の場合、観察者に反射パターン２１は認識されないようになっている。
【００５８】
このような導光板２０では、表面２０ｂに垂直な方向から見たときの、当該表面２０ｂ全体の投影面積に対する複数の反射パターン２１の投影面積の割合が１５％以下であることが好ましく、当該割合が８％以下であることがより好ましい。これにより、光源１０ａ，１０ｂ，１０ｃが非点灯状態の場合、観察者に反射パターン２１を認識され難くすることができる。
【００５９】
なお、反射パターン２１は、導光板２０の裏面２０ｃを切り欠くことによって形成された溝状のパターンに限られず、導光板２０の裏面２０ｃから外側に突出するように形成されていてもよい。また、反射パターン２１は、導光板２０と一体的に設けられる構成に限られず、例えば導光板２０の裏面２０ｃに取り付けられるものであってもよい。
【００６０】
また、導光板２０は平面で構成された形状に限られず、球面または自由曲面を含む形状であってもよい。また、本実施形態では、導光体として板状の導光板２０を用いているが、板状以外の形状、例えば円筒状などであっても構わない。
【００６１】
図３の（ａ）〜図３の（ｃ）は、図１に示される各発光領域Ａ，Ｂ，Ｃを示す上面図である。図３の（ａ）〜図３の（ｃ）に示すように、発光領域Ａ，Ｂ，Ｃに対応する導光板２０の裏面２０ｃの領域には、線状に配列された複数の反射パターン２１からなる線状配置パターン群ａ，ｂ，ｃが形成されている。
【００６２】
図３の（ａ）に示すように、発光領域Ａに対応する線状配置パターン群ａは、反射面が互いに略平行になるように、環状に配置された複数の反射パターン２１からなる。各反射パターン２１は、導光板２０の裏面２０ｃに垂直な方向から見たときに、各反射面と光源１０ａの光軸とのなす角度が垂直になるように配置されており、これらの各反射パターン２１によって光源１０ａからの光を観察者に向けて反射する。
【００６３】
また、図３の（ｂ）に示すように、発光領域Ｂに対応する線状配置パターン群ｂは、反射面が互いに略平行になるように、環状に配置された複数の反射パターン２１からなる。各反射パターン２１は、導光板２０の裏面２０ｃに垂直な方向から見たときに、各反射面と光源１０ｂの光軸とのなす角度が垂直になるように配置されており、これらの各反射パターン２１によって光源１０ｂからの光を観察者に向けて反射する。
【００６４】
さらに、図３の（ｃ）に示すように、発光領域Ｃに対応する線状配置パターン群ｃは、反射面が互いに略平行になるように、線状に配置された複数の反射パターン２１からなる。各反射パターン２１は、導光板２０の裏面２０ｃに垂直な方向から見たときに、各反射面と光源１０ｃの光軸とのなす角度が垂直になるように配置されており、これらの各反射パターン２１によって光源１０ｃからの光を観察者に向けて反射する。
【００６５】
ここで、本実施形態では、各線状配置パターン群ａ，ｂ，ｃにおける各反射パターン２１の反射面の幅（導光板２０の表面２０ｂに垂直な方向から見たときの当該表面２０ｂの面内方向における反射面の幅、または反射面と裏面２０との交線の長さ）が、線状配置パターン群ａ，ｂ，ｃごとに異なっている。具体的には、線状配置パターン群ｃ、線状配置パターン群ｂ、線状配置パターン群ａの順で各反射パターン２１の反射面の幅が大きくなっている（線状配置パターン群ｃ＜線状配置パターン群ｂ＜線状配置パターン群ａ）。その結果、各線状配置パターン群ａ，ｂ，ｃで反射されて観察者に到達する光の光量が、線状配置パターン群ｃ、線状配置パターン群ｂ、線状配置パターン群ａの順で大きくなっている。
【００６６】
したがって、各線状配置パターン群ａ，ｂ，ｃで反射されて観察者に到達する光の光量（発光領域Ａ，Ｂ，Ｃから出射される単位面積当たりの光量：輝度）と、当該線状配置パターン群ａ，ｂ，ｃに隣接する領域（導光板２０の表面２０ｂのうち発光領域Ａ，Ｂ，Ｃに隣接する非発光領域）から観察者に到達する光の光量（輝度：本実施形態では一定）との差を光量差とするとき、各線状配置パターン群ａ，ｂ，ｃにおける上記光量差は、線状配置パターン群ｃ、線状配置パターン群ｂ、線状配置パターン群ａの順で大きくなる。
【００６７】
このように、上記光量差を異ならせることによって、各線状配置パターン群ａ，ｂ，ｃに対応する表面２０ｂにおける発光領域Ａ，Ｂ，Ｃ間に遠近差が生じるように観察者に知覚させることが可能となる。すなわち、上記光量差が大きい線状配置パターン群に対応する発光領域（線画オブジェクト）ほど背景とのコントラストが大きくなり明瞭に視認されるため、相対的に近位にあるように観察者は知覚する。一方、上記光量差が小さい線状配置パターン群に対応する発光領域ほど背景とのコントラストが小さくなりぼやけて視認されるため、相対的に遠位にあるように観察者は知覚する。
【００６８】
本実施形態では、上記光量差が最大である線状配置パターン群ａに対応する発光領域Ａが最も近位にあるように観察者は知覚し、上記光量差が最小である線状配置パターン群ｃに対応する発光領域Ｃが最も近位にあるように観察者は知覚することになる。
【００６９】
このように、上記光量差を異ならせることによって、各線状配置パターン群ａ，ｂ，ｃに対応する発光領域Ａ，Ｂ，Ｃ間に遠近差が生じるように観察者に知覚させることができる。
【００７０】
なお、本実施形態では、各線状配置パターン群ａ，ｂ，ｃにおける各反射パターン２１の反射面の幅を、線状配置パターン群ａ，ｂ，ｃごとに異ならせているが、例えば、反射面の傾斜方向における当該反射面の長さ（裏面２０ｃからの反射面の深さ）を、線状配置パターン群ａ，ｂ，ｃごとに異ならせてもよい。
【００７１】
＜反射パターン２１の配置例＞
次に、線状配置パターン群ａ，ｂ，ｃごとに上記光量を異ならせる反射パターン２１の配置例について説明する。
【００７２】
図４の（ａ）〜図４の（ｃ）は、図３に示される各線状配置パターン群ａ，ｂ，ｃにおける反射パターン２１の配置例を示す上面図である。図４の（ａ）〜図４の（ｃ）に示すように、線状配置パターン群ａ，ｂ，ｃごとに反射パターン２１の配置密度（単位面積あたりの反射パターン２１の配置個数）を変化させてもよい。
【００７３】
この場合、反射パターン２１の配置密度を大きくすることにより、当該線状配置パターン群における光の反射量が多くなる。そのため、当該線状配置パターン群で反射されて観察者に到達する光の光量を増加させることができる。
一方、線状配置パターン群における反射パターン２１の配置密度を小さくすることにより、当該線状配置パターン群における光の反射量が少なくなる。そのため、当該線状配置パターン群で反射されて観察者に到達する光の光量を減少させることができる。
【００７４】
したがって、線状配置パターン群ａ，ｂ，ｃごとに、反射パターン２１の配置密度を変化させることにより、上記光量を異ならせることができる。
【００７５】
図５の（ａ）〜図５の（ｃ）は、図３に示される各線状配置パターン群ａ，ｂ，ｃにおける反射パターン２１の他の配置例を示す上面図である。図５の（ａ）〜図５の（ｃ）に示すように、線状配置パターン群ａ，ｂ，ｃごとに、導光板２０の表面２０ｂに垂直な方向から見たときの各反射パターン２１の反射面の向きが異なっていてもよい。
【００７６】
この場合、線状配置パターン群ａ，ｂ，ｃごとに各反射パターン２１の反射面の向きを変化させることにより、各線状配置パターン群ａ，ｂ，ｃで反射する光の方向を異ならせることができる。そのため、想定される観察者の観察位置に応じて、各線状配置パターン群ａ，ｂ，ｃの光の反射方向（反射面の向き）を設定することにより、観察者に到達する各線状配置パターン群ａ，ｂ，ｃからの光の光量を異ならせることができる。
【００７７】
したがって、線状配置パターン群ａ，ｂ，ｃごとに反射パターン２１の反射面の向きを変化させることにより、上記光量を異ならせることができる。
【００７８】
図６の（ａ）〜図６の（ｃ）は、図３に示される各線状配置パターン群ａ，ｂ，ｃにおける反射パターン２１のさらに他の配置例を示す上面図である。図６の（ａ）〜図６の（ｃ）に示すように、線状配置パターン群ａ，ｂ，ｃごとに、各反射パターン２１の反射面の傾斜角度（反射パターン２１の反射面と導光板２０の裏面２０ｃとがなす角度）が異なっていてもよい。
【００７９】
この場合、線状配置パターン群ａ，ｂ，ｃごとに各反射パターン２１の反射面の傾斜角度を変化させることにより、各線状配置パターン群ａ，ｂ，ｃで反射する光の方向を異ならせることができる。そのため、想定される観察者の観察位置に応じて、各線状配置パターン群ａ，ｂ，ｃの光の反射方向（反射面の傾斜角度）を設定することにより、観察者に到達する各線状配置パターン群ａ，ｂ，ｃからの光の光量を異ならせることができる。
【００８０】
したがって、線状配置パターン群ａ，ｂ，ｃごとに反射パターン２１の反射面の傾斜角度を変化させることにより、上記光量を異ならせることができる。
【００８１】
なお、各線状配置パターン群ａ，ｂ，ｃにおいて、線状に配置された各反射パターン２１の反射面は互いに略平行でなくてもよい。例えば、線状配置パターン群ａをなす各反射パターン２１において、光源１０ａおよび当該反射パターン２１の中心（すなわち、導光板２０の裏面２０ｃに垂直な方向から見たときの反射面の延伸方向の中心）を結ぶ直線と、当該反射パターン２１の反射面とのなす角度が連続的または断続的に変化していてもよい。
【００８２】
＜導光板２０の発光例＞
次に、本実施形態に係る導光板２０の発光状態の一例について説明する。
【００８３】
図７は、本実施形態に係る導光板２０の発光状態の一例を示す説明図である。なお、図７では、各線状配置パターン群ａ，ｂ，ｃにおける各反射パターン２１の幅を、線状配置パターン群ｃ、線状配置パターン群ｂ、線状配置パターン群ａの順で大きくしており、これにより、線状配置パターン群ａ，ｂ，ｃにおける上記光量差が、線状配置パターン群ｃ、線状配置パターン群ｂ、線状配置パターン群ａの順で大きくなるように設定した場合の発光状態を示している。
【００８４】
図７に示すように、導光板２０の裏面２０ｃに所望の形（本発光例では魚）の線状配置パターン群ａ，ｂ，ｃを形成することにより、導光板２０の表面２０ｂに当該線状配置パターン群ａ，ｂ，ｃに対応した発光領域（線画オブジェクト）Ａ，Ｂ，Ｃを点灯させることができる。
【００８５】
このとき、上記光量差が最も大きい線状配置パターン群ａに対応する発光領域Ａは、背景とのコントラストが大きいため、発光領域Ｂ，Ｃに比べて明瞭に観察者に視認される。その結果、発光領域Ａ，Ｂ，Ｃのうち発光領域Ａが最も近位にあるように観察者に知覚させることができる。
【００８６】
一方、上記光量差が最も小さい線状配置パターン群ｃに対応する発光領域Ｃは、背景とのコントラストが小さいため、発光領域Ａ，Ｂに比べてぼやけた状態で観察者に視認される。その結果、発光領域Ａ，Ｂ，Ｃのうち発光領域Ｃが最も遠位にあるように観察者に知覚させることができる。
【００８７】
このように、線状配置パターン群ａ，ｂ，ｃごとに上記光量差を異ならせることにより、各線状配置パターン群ａ，ｂ，ｃに対応する発光領域Ａ，Ｂ，Ｃ間に遠近差が生じるように観察者に知覚させることができる。
【００８８】
なお、発光装置１では、上記光量差に代えて、または上記光量差と共に、各線状配置パターン群ａ，ｂ、ｃで反射する光の色相，彩度が異なっていてもよい。換言すれば、各線状配置パターン群ａ，ｂ、ｃで反射されて観察者に到達する光と、当該線状配置パターン群ａ，ｂ、ｃに隣接する領域から観察者に到達する光との色差が、線状配置パターン群ａ，ｂ，ｃごとに異なっていてもよい。色差とは、色の違いを明度（上記光量差）、色相、彩度の３つの要素に基づいて数値化ものである。
【００８９】
線状配置パターン群ａ，ｂ，ｃごとに上記色差を異ならせることにより、例えば、ある線状配置パターン群に対応する発光領域を相対的に明るく鮮やかな濃色に発光させ、他の線状配置パターン群に対応する発光領域を相対的に暗くくすんだ淡色に発光させる発光制御などの発光制御が可能となる。
【００９０】
したがって、線状配置パターン群ａ，ｂ，ｃごとに上記色差を異ならせることにより、各線状配置パターン群ａ，ｂ，ｃに対応する発光領域Ａ，Ｂ，Ｃ間に遠近差が生じるように観察者に知覚させることができる。この場合、線状配置パターン群ａ，ｂ，ｃ間における上記色差の違いは6.5以上であるとことが好ましい。これにより、発光領域Ａ，Ｂ，Ｃ間に遠近差が生じるよう観察者に好適に知覚させることができる。
【００９１】
＜発光装置１の効果＞
このように、本実施形態に係る発光装置１は、光源１０ａ，１０ｂ，１０ｃから入射する光を導光して、表面２０ｂから出射させる導光板２０を備えている。導光板２０は、光源１０ａ，１０ｂ，１０ｃからの光を表面２０ｂに向けて反射する複数の反射パターン２１が線状に配置された複数の線状配置パターン群ａ，ｂ，ｃを備え、線状配置パターン群ａ，ｂ，ｃで反射されて表面２０ｂを観察する観察者に到達する光の光量と、当該線状配置パターン群ａ，ｂ，ｃに隣接する領域から観察者に到達する光の光量との差を光量差とするとき、当該光量差が、線状配置パターン群ａ，ｂ，ｃごとに異なっているか、または、線状配置パターン群ａ，ｂ，ｃで反射されて表面２０ｂを観察する観察者に到達する光と当該線状配置パターン群ａ，ｂ，ｃに隣接する領域から観察者に到達する光との色差が、線状配置パターン群ａ，ｂ，ｃごとに異なっている。
【００９２】
発光装置１では、線状配置パターン群ａ，ｂ，ｃごとに上記光量差または色差を異ならせることによって、導光板２０の表面２０ｂに表示される各線状配置パターン群ａ，ｂ，ｃに対応する発光領域（線画オブジェクト）Ａ，Ｂ，Ｃ間に遠近差が生じるように、導光板２０の表面２０ｂを観察する観察者に知覚させることが可能となる。例えば、上記光量差または色差が相対的に大きい線状配置パターン群に対応する発光領域ほど背景とのコントラストが大きくなり明瞭に視認されるため、相対的に近位にあるように観察者は知覚する。一方、上記光量差または色差が相対的に小さい線状配置パターン群に対応する発光領域ほど背景とのコントラストが小さくなりぼやけて視認されるため、相対的に遠位にあるように観察者は知覚する。
【００９３】
このように、上記光量差または色差を異ならせることによって、各線状配置パターン群ａ，ｂ，ｃに対応する発光領域Ａ，Ｂ，Ｃ間に遠近差が生じるように観察者に知覚させることができる。
【００９４】
したがって、本実施形態によれば、発光領域Ａ，Ｂ，Ｃ間に遠近差を生じさせて、観察者に立体的に視認させることができる発光装置１を実現することができる。
【００９５】
＜変形例＞
（変形例１）
図８の（ａ）〜図８の（ｅ）は、図１に示される発光領域Ａの変形例を示す上面図である。図８の（ａ）〜図８の（ｅ）に示すように、線状配置パターン群ａで囲まれた領域に、さらに複数の反射パターン２１が配置されていてもよい。
【００９６】
これにより、導光板２０の表面２０ｂにおける線状配置パターン群ａに対応する線状の発光領域（線画部分）とともに、当該線状の発光領域に囲まれた表面２０ｂの領域（線画部分の内側）をさらに発光させることができるので、多様な表示が可能となり、立体視における視覚的効果を向上させることができる。
【００９７】
ここで、図８の（ａ）に示すように、線状配置パターン群ａで反射されて観察者に到達する光の光量と、線状配置パターン群で囲まれた領域に配置された反射パターン２１で反射されて観察者に到達する光の光量とが均等となるように、反射パターン２１を配置した場合、発光領域Ａは一様の明るさで発光する円形のオブジェクトとして観察者に視認されることになる。
【００９８】
そこで、図８の（ｂ）〜図８の（ｅ）に示すように、線状配置パターン群ａで反射されて観察者に到達する光の光量が、線状配置パターン群ａで囲まれた領域に配置された反射パターン２１で反射されて観察者に到達する光の光量よりも大きくなるように反射パターン２１を配置することが好ましい。
【００９９】
これにより、線状配置パターン群ａに対応する線状の発光領域（線画部分）を相対的に明るく発光（強調）させ、当該線状の発光領域に囲まれた領域（線画部分の内側）を相対的に暗く発光させるなどの発光制御が可能となる。
【０１００】
このような発光制御を実現するために、例えば、図８の（ｂ）に示すように、線状配置パターン群ａにおける反射パターン２１の幅（導光板２０の表面２０ｂに垂直な方向から見たときの反射面の長さ）が、当該線状配置パターン群ａで囲まれた領域に配置された反射パターン２１の反射面の幅よりも大きくなっていてもよい。
【０１０１】
また、図８の（ｃ）に示すように、線状配置パターン群ａにおける反射パターン２１の配置密度（単位面積あたりの反射パターン２１の配置個数）が、当該線状配置パターン群ａで囲まれた領域に配置された反射パターン２１の配置密度よりも大きくなっていてもよい。
【０１０２】
また、図８の（ｄ）に示すように、導光板２０の表面２０ｂに垂直な方向から見たときの、線状配置パターン群ａにおける反射パターン２１の反射面の向きが、当該線状配置パターン群ａで囲まれた領域に配置された反射パターン２１の反射面の向きと異なっていてもよい。この場合、線状配置パターン群ａで反射された光がより多く観察者に向かうように、反射パターン２１の向きを設定することにより、線状配置パターン群ａで反射されて観察者に到達する光の光量を、当該線状配置パターン群ａで囲まれた領域に配置された反射パターン２１で反射されて観察者に到達する光の光量よりも大きくすることができる。
【０１０３】
また、図８の（ｅ）に示すように、線状配置パターン群ａにおける反射パターン２１の傾斜角度が、当該線状配置パターン群ａで囲まれた領域に配置された反射パターン２１の傾斜角度と異なっていてもよい。この場合も同様に、線状配置パターン群ａで反射された光がより多く観察者に向かうように、反射パターン２１の傾斜角度を設定することにより、線状配置パターン群ａで反射されて観察者に到達する光の光量を、当該線状配置パターン群ａで囲まれた領域に配置された反射パターン２１で反射されて観察者に到達する光の光量よりも大きくすることができる。
【０１０４】
なお、線状配置パターン群ａと、当該線状配置パターン群ａで囲まれた領域に配置された反射パターン２１とは、それぞれ異なる光源からの光を反射させてもよい。これにより、例えば異なる発光色の光源を用いることによって、線状配置パターン群ａに対応する線状の発光領域（線画部分）と、当該線状の発光領域に囲まれた表面２０ｂの領域（線画部分の内側）とを異なる色で発光させるなどの発光制御が可能となる。
【０１０５】
（変形例２）
図９の（ａ）〜図９の（ｄ）は、反射パターン２１の形状の変形例を示す断面図である。図９の（ａ）〜図９の（ｄ）の上段は反射パターン２１の上面図を示し、下段は反射パターン２１の断面図を示している。
【０１０６】
上述の本実施形態では、図９の（ａ）に示すように、反射パターン２１は、断面形状が２つの傾斜面を有する略二等辺三角形状としている。ただし、反射パターン２１の形状は、光源１０の配置位置や数、表示するオブジェクトの種類、光を反射させる方向などに応じて適宜変更可能である。
【０１０７】
例えば、図９の（ｂ）に示すように、反射パターン２１として、断面形状が１つの傾斜面を有する略直角三角形状である溝を形成してもよい。この場合、反射パターン２１は、光が入射する方向に傾斜面が位置するように形成される。
【０１０８】
また、図９の（ｃ）および図９の（ｄ）に示すように、反射パターン２１は、直線的なパターン形状ではなく、曲線的なパターン形状に形成されていてもよい。
【０１０９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１０】
本発明は、光源から入射する光を導光して光出射面から出射させる導光体、およびそれを備えた発光装置に適用でき、例えば、パチンコおよびスロットマシンなどの遊技機に好適に搭載することがきる。
【符号の説明】
【０１１１】
１  発光装置
１０  光源
１０ａ、１０ｂ、１０ｃ  光源
２０  導光板（導光体）
２０ａ  側面
２０ｂ  表面（光出射面）
２０ｃ  裏面
２１  反射パターン
Ａ，Ｂ，Ｃ  発光領域
ａ，ｂ，ｃ  線状配置パターン群
【図１】
2015118128.tif 000003
【図２】
2015118128.tif 000004
【図３】
2015118128.tif 000005
【図４】
2015118128.tif 000006
【図５】
2015118128.tif 000007
【図６】
2015118128.tif 000008
【図７】
2015118128.tif 000009
【図８】
2015118128.tif 000010
【図９】
2015118128.tif 000011